(57)【要約】【課題】自動着色システム及びその方法を提供することを課題とする。【解決手段】自動着色システム、及び、その方法であって、立体物に着色するために用いられる。そこで、電子機器が着色設計フローを実行して立体物に対応する着色プロセスを得る。着色プロセスは、各自の生成順序により並び替える複数の着色コマンドを有する。次に接続インターフェースを経由して電子機器と自動着色機にそれぞれ電気的に接続し、着色プロセスを電子機器から自動着色機に出力する。そして、自動着色機が直接順番通り着色プロセス内の着色コマンドを実行する。【選択図】図１
2014113445.tif 000002
【特許請求の範囲】
【請求項１】
立体物に着色するために用いられ、
無線、或いは、有線方式で各自の生成順序により並べ替える複数の着色コマンドを備える着色プロセスを受信するために用いられる第１の接続インターフェースと、
少なくとも１個の顔料を備える供給モジュールと、
少なくとも１個の着色ツールがその上に設けられる移動モジュールと、
前記第１の接続インターフェースと前記供給モジュールと前記移動モジュールに電気的に接続され、順番通り前記着色プロセス内の前記着色コマンドを実行し、且つ、実行する前記着色コマンドに基づき、前記供給モジュールを制御する少なくとも１個の顔料を選択すると共に前記移動モジュールを制御して少なくとも１個の着色ツールを移動することで選択した少なくとも１個の顔料を前記立体物に施す制御ユニットと、を含む自動着色機を備えることを特徴とする、
自動着色システム。
【請求項２】
各前記着色コマンドは、二次元座標で表示される軌跡情報を含み、且つ、前記制御ユニットが前記軌跡情報により前記移動モジュールの移動を制御することを特徴とする請求項１に記載の自動着色システム。
【請求項３】
各前記着色コマンドは、三次元座標で表示される軌跡情報を含み、且つ、前記制御ユニットが前記軌跡情報により前記移動モジュールの移動を制御することを特徴とする請求項１に記載の自動着色システム。
【請求項４】
前記立体物の外観画像を受信し、且つ、前記外観画像の特徴分析を通じて前記輪郭画像を生成することに用いられるプロセッサと、前記プロセッサに電気的に接続され、前記輪郭画像を表示し、且つ、順番通り前記輪郭画像向けの少なくとも１個の編集コマンドを出力して前記プロセッサが少なくとも１個の編集コマンドに応答して前記着色プロセスを取得させるユーザーインターフェースと、前記プロセッサに電気的に接続され、無線、或いは、有線方式で前記着色プロセスを第１の接続インターフェースに出力する第２の接続インターフェースとを、含む電子機器を更に備えることを特徴とする請求項１に記載の自動着色システム。
【請求項５】
前記立体物の前記外観画像を取り込むための画像取込みモジュールを更に含み、前記電子機器には、前記第２の接続インターフェースに電気的に接続される第３の接続インターフェースを更に含み、前記画像取込みモジュールは無線、或いは、有線方式により前記第２の接続インターフェースに接続されることで、前記プロセッサが前記第２の接続インターフェースと前記第３の接続インターフェースを経由して前記画像取込みモジュールからの前記外観画像を受信させることを特徴とする請求項４に記載の自動着色システム。
【請求項６】
前記自動着色機には、前記第１の接続インターフェースに電気的に接続されることで、前記立体物の前記外観画像を取り込み、また前記第１の接続インターフェースと前記第２の接続インターフェースを経由して前記プロセッサに伝送する画像取込みモジュールを更に含むことを特徴とする請求項４に記載の自動着色システム。
【請求項７】
前記電子機器には、前記プロセッサに電気的に接続されることで、前記立体物の前記外観画像を取り込むための画像取込みモジュールを更に含むことを特徴とする請求項４に記載の自動着色システム。
【請求項８】
前記プロセッサは、更に前記画像取込みモジュールの撮像パラメータ、及び、前記ユーザーインターフェース内の前記輪郭画像の表示規格を利用して座標系変換を実行することで、前記輪郭画像の座標を前記移動モジュールの移動座標に対応して変換し、従って各前記着色コマンド内の軌跡情報を得ることを特徴とする請求項５〜７のいずれか一項に記載の自動着色システム。
【請求項９】
前記輪郭画像は、３Ｄシミュレーション画像であることを特徴とする請求項４に記載の自動着色システム。
【請求項１０】
前記少なくとも１個の編集コマンドは、複数あり、且つ、前記着色コマンドに各々対応することを特徴とする請求項４に記載の自動着色システム。
【請求項１１】
立体物の外観画像を受信するステップと、
前記外観画像の特徴分析を通じて輪郭画像を生成するステップと、
前記輪郭画像をユーザーインターフェースに表示するステップと、
前記ユーザーインターフェースで順番通り前記輪郭画像向けの少なくとも１個の編集コマンドを出力するステップと、
前記少なくとも１個の編集コマンドに応答して着色プロセスを取得し、前記着色プロセスは複数の着色コマンドを有し、且つ、それら着色コマンドが各自の生成順序により並び替えるステップと、
無線、或いは、有線方式で取得した前記着色プロセスを出力するステップと、を含むことを特徴とする、
自動着色方法。
【請求項１２】
各前記着色コマンドは、二次元座標で表示される軌跡情報を含むことを特徴とする請求項１１に記載の自動着色方法。
【請求項１３】
各前記着色コマンドは、三次元座標で表示される軌跡情報を含むことを特徴とする請求項１１に記載の自動着色方法。
【請求項１４】
前記輪郭画像の取込む時に使用する撮像パラメータ、及び、前記ユーザーインターフェース内の前記輪郭画像の表示規格を利用して座標系変換を実行することで、前記輪郭画像の座標を前記自動着色機の移動モジュールの移動座標に対応して変換し、従って各前記着色コマンドの前記軌跡情報を得るステップを更に含むことを特徴とする請求項１２、又は、１３のいずれか一項に記載の自動着色方法。
【請求項１５】
自動着色機が前記着色プロセスを受信すると共に順番通り前記着色プロセス内の前記着色コマンドを実行するステップを更に含み、前記着色コマンドには、実行する前記着色コマンドにより前記自動着色機の供給モジュールを制御して少なくとも１個の顔料を選択することと、実行する前記着色コマンドにより前記自動着色機の移動モジュールを制御して着色ツールを移動して選択された前記顔料を前記立体物に施することと、を含むことを特徴とする請求項１１に記載の自動着色方法。
【請求項１６】
各前記着色コマンドは、二次元座標で表示される軌跡情報を含み、且つ、前記移動モジュールの制御ステップには前記軌跡情報に基き前記移動モジュールの移動を制御することを含むことを特徴とする請求項１５に記載の自動着色方法。
【請求項１７】
各前記着色コマンドは、三次元座標で表示される軌跡情報を含み、且つ、前記移動モジュールの制御ステップには前記軌跡情報に基き前記移動モジュールの移動を制御することを含むことを特徴とする請求項１５に記載の自動着色方法。
【請求項１８】
前記立体物の前記外観画像を取り込むことを更に含むことを特徴とする請求項１１に記載の自動着色方法。
【請求項１９】
前記輪郭画像は、３Ｄシミュレーション画像であることを特徴とする請求項１１に記載の自動着色方法。
【請求項２０】
前記少なくとも１個の編集コマンドは、複数あり、且つ、前記着色コマンドに各々対応することを特徴とする請求項１１に記載の自動着色方法。
【請求項２１】
コンピュータを通じて前記プログラムをロードすると共に実行した後請求項１１〜１４、及び、１８〜２０内のいずれか一項に記載の自動着色方法を実現できることを特徴とするコンピュータプログラム。
【発明の詳細な説明】
【技術分野】
【０００１】
本発明は、着色技術に関り、特に、立体物に着色する自動着色システム及びその方法に関する。
【背景技術】
【０００２】
美しくなりたいと思うことは自然なことであるため、市場において各メーカは多種多様な基礎化粧品及びメイクアップ化粧品を消費者の購入のため提供している。
しかしながら、自分で気に入り且つ自分に似合う化粧をメイクアップしたい場合、異なる眉の形、各種目の輪郭、まつげ、アイライン、顔メイク、唇メイク、チークシャドー及び各種色の変化等を描くため、繰り返しメイクアップテクニックを練習する必要があり、且つ各種メイクアップ化粧品及び化粧道具を購入しなければならない。
ただし、メイクアップテクニックの熟練度の違い及びメイクアップ化粧品の種類の多さに伴い、往々にしてメイクアップした効果と消費者が望んでいる効果とは、一定の差が生じていた。
【０００３】
情報テクノロジーの絶え間ない進化に伴い、メイクアップ化粧品又は基礎化粧品の化粧シミュレーションサービス装置がすでに開発され、例えば特許文献１では、利用者はメイクアップ化粧品又は基礎化粧品の化粧シミュレーションサービス装置を通じて購買前にスクリーンにおいて利用者の化粧後の効果をシミュレーションして実際のメイクアップ化粧品の試用として代替する。
しかしながら、スクリーンでメイクアップ効果をシミュレーションしたとしても、やはり手動によるメイクアップテクニックに依存して人の顔にメイクする必要があり、利用者の手動によるメイクアップの実際の効果はスクリーンでシミュレーションされた効果と必ずしも同じというわけにはいかない。
【先行技術文献】
【特許文献】
【０００４】
【特許文献１】米国特許公開番号第２００５／０１３５６７５Ａ１号
【発明の概要】
【発明が解決しようとする課題】
【０００５】
そこで、上記の従来技術の問題点に鑑みて、鋭意研究を重ねた結果、以下の発明を完成するに至った。
【課題を解決するための手段】
【０００６】
一実施例において、自動着色システムは立体物に着色するために用いられる。自動着色システムは、第１の接続インターフェースと、少なくとも１個の顔料を備える供給モジュールと、移動モジュールと、移動モジュール上に設けられる少なくとも１個の着色ツールと、第１の接続インターフェース、供給モジュール及び移動モジュールに電気的に接続する制御ユニットを含む自動着色機を備える。
【０００７】
第１の接続インターフェースは、無線或いは有線方式で着色プロセスを受信するために用いられる。この着色プロセスは、各自の生成順序により並べ替える複数の着色コマンドを備える。
制御ユニットは、順番通り着色プロセス内の着色コマンドを実行し、且つ実行する着色コマンドに基づき、供給モジュールを制御する少なくとも１個の顔料を選択すると共に移動モジュールを制御して着色ツールを移動することで選択した顔料を立体物に施す。
【０００８】
若干の実施例において、自動着色システムは、プロセッサとユーザーインターフェースと第２の接続インターフェースとを含む電子機器を更に備えることができる。プロセッサはユーザーインターフェース及び第２の接続インターフェースに電気的に接続される。
プロセッサは、立体物の外観画像を受信し、且つ外観画像の特徴の分析を通じて輪郭画像を生成することに用いられる。ユーザーインターフェースは、輪郭画像を表示し、且つ順番通りこの輪郭画像向けの少なくとも１個の編集コマンドを出力してプロセッサが編集コマンドに応答して着色プロセスを取得させることに用いられる。更に第２の接続インターフェースが無線或いは有線方式で着色プロセスを第１の接続インターフェースに出力する。
【０００９】
若干の実施例において、自動着色システムは、立体物の外観画像を取り込むための画像取込みモジュールを更に含むことができる。電子機器、自動着色機と画像取込みモジュールは、別々の装置とすることができ、又は画像取込みモジュールを電子機器或いは自動着色機に内蔵できる。
【００１０】
一実施例において、自動着色方法には、立体物の外観画像を受信することと、外観画像の特徴の分析を通じて輪郭画像を生成することと、輪郭画像をユーザーインターフェースに表示することと、ユーザーインターフェースを利用して順番通り輪郭画像向けの少なくとも１個の編集コマンドを出力することと、少なくとも１個の編集コマンドに応答して着色プロセスを取得することと、無線又は有線方式で取得した着色プロセスを自動着色機に出力することと、を含む。着色プロセスは、各自の生成順序により並べ替える複数の着色コマンドを備える。
【００１１】
若干の実施例において、自動着色方法は、順番通り着色プロセス内の着色コマンドを実行することを更に含むことができる。各着色コマンドの実行ステップは、実行する着色コマンドに基づき自動着色機の供給モジュールを制御して少なくとも１個の顔料を選択することと、実行する着色コマンドに基づき自動着色機の移動モジュールを制御して着色ツールを移動することで選択した顔料を立体物に施すことと、を含む。
【００１２】
若干の実施例において、各着色コマンドは二次元座標表示或いは三次元座標で表示する軌跡情報を含む。
【００１３】
若干の実施例において、輪郭画像は３Ｄシミュレーション画像とすることができる。
【００１４】
上述をまとめると、本発明に係る自動着色システム及びその方法は、立体物に着色する。そこで、電子機器が着色設計フローを実行して立体物に対応する着色プロセスを得る。着色プロセスは、各自の生成順序により並べ替える複数の着色コマンドを備える。
次に接続インターフェースの別々電気的な接続を通じて着色プロセスを電子機器から自動着色機に出力する。そして自動着色機が直接順番通り着色プロセス内の着色コマンドを実行する。
言い換えると、本発明に係る自動着色システム及びその方法は、分離可能式の着色設計フロー（電子機器による実行）と実際の着色フロー（自動着色機による実行）とを備え、利用者がいつでもどこでも着色後図柄を予め設計及び交流させることができる。
また、本発明に係る自動着色システム及びその方法は、外部装置により着色プロセスを自動着色機に提供して直接実行できるため、自動着色機の構造の簡素化に役立つ。若干の実施例において、三次元座標で表示する軌跡情報の直接提供を通じて自動着色機がより一層正確に実際の着色フローを実行させる。若干の実施例において、３Ｄシミュレーション画像の直接表示を通じて着色設計フロー内の着色操作が実際の着色フローに更に近づけさせる。
【図面の簡単な説明】
【００１５】
【図１】本発明に係る第１の実施例の自動着色システムの概要ブロック図である。
【図２】本発明に係る第１の実施例の電子機器の概要ブロック図である。
【図３】本発明に係る第１の実施例の電子機器の概要ブロック図である。
【図４】本発明に係る第１の実施例の自動着色機の概要ブロック図である。
【図５】本発明に係る第２の実施例の自動着色システムを示す図である。
【図６】本発明に係る第３の実施例の自動着色システムを示す図である。
【図７】本発明に係る第１の実施例の自動着色方法のフローチャートである。
【図８】一実施例のユーザーインターフェースを示す図である。
【図９】一実施例のツールオプションを示す図である。
【図１０Ａ】本発明に係る第１の実施例のカラーパレットオプションを示す図である。
【図１０Ｂ】本発明に係る第２の実施例のカラーパレットオプションを示す図である。
【図１１】本発明に係る第４の実施例の自動着色システムを示す図である。
【図１２】一実施例のテンプレートオプションを示す図である。
【図１３】本発明に係る第２の実施例の自動着色方法のフローチャートである。
【発明を実施するための形態】
【００１６】
以下に言及する「第１」、「第２」、「第３」等の用語は、指す構成要素の区別に用い、順番付け或いは指す構成要素の差異性を限定するために用いられることはなく、且つ本発明の範囲を限定するために用いられるものでもない。
【００１７】
図１乃至図４を参照しながら説明する。自動着色システム１０は、電子機器１１と自動着色機１２とを含む。電子機器１１は、立体物１４の着色後図柄に対応する着色プロセスを自動着色機１２に出力し、更に自動着色機１２が着色プロセスの実行を通じて立体物１４に着色できる。そこで、電子機器１１はポータブル電子機器、或いはパソコン等のアプリケーションプログラムを実行できる装置又はこれと同じ効果を持つ装置とすることができる。
ポータブル電子機器はスマートフォン、ノートブックパソコン、タブレットパソコン或いはこれと同じ効果を持つ装置とすることができる。立体物１４は人体、人体の特定部位（例：顔、目、指の爪など）、若しくは物品（例：仮面、コップ等）等とすることができる。
【００１８】
自動着色システム１０は、画像取込みモジュール１３を更に含む。この画像取込みモジュール１３は、立体物１４の外観画像Ｐｆを取り込むために用いられる。若干の実施例において、電子機器１１、自動着色機１２と画像取込みモジュール１３（例：デジタルカメラ或いはネットワークカメラ等）は、別々の装置とすることができる。
分離できる画像取込みモジュール１３の例として、デジタルカメラ或いはネットワークカメラ等とする。好しくは画像取込みモジュール１３はカラー映像が撮影できるビデオカメラとすることができる。若干の実施例において、画像取込みモジュール１３は、電子機器１１（図２）或いは自動着色機１２内（図４）に内蔵させることができる。
【００１９】
図２及び図３を参照しながら説明する。電子機器１１は、プロセッサ１１０とユーザーインターフェース１２０と接続インターフェース１３０とストレージユニット１４０と、を含む。
【００２０】
次に図４を参照しながら説明する。自動着色機１２は、制御ユニット２１０と接続インターフェース２３０と供給モジュール２４０と移動モジュール２５０と少なくとも１個の着色ツール２６０、２６２と、を含む。
【００２１】
明確に記述するため、以下、自動着色機１２の接続インターフェース２３０を第１の接続インターフェース２３０と称し、電子機器１１の接続インターフェース１３０を第２の接続インターフェース１３０と称する。
【００２２】
図２及び図３を参照しながら説明する。プロセッサ１１０は、ユーザーインターフェース１２０と第２の接続インターフェース１３０とストレージユニット１４０に電気的に接続される。第２の接続インターフェース１３０は、無線方式或いは有線方式で自動着色機１２の第１の接続インターフェース２３０に電気的に接続するために用いられる。
有線方式の電気的な接続は、直接接続（例：第１の接続インターフェース２３０と第２の接続インターフェース１３０は、各々オスとメスの実物コネクタ又はこれと同じ効果を持つ装置）若しくは間接連接（例：接続ケーブル１５又はこれと同じ効果を持つ装置等を経由する）とすることができる。
【００２３】
図２を参照しながら説明する。若干の実施例において、電子機器１１は、画像取込みモジュール１３を内蔵でき、且つ図２に示すように画像取込みモジュール１３をプロセッサ１１０に電気的に接続する。画像取込みモジュール１３が取込んだ外観画像Ｐｆは、プロセッサ１１０に伝送、或いは事前にストレージユニット１４０内に保存できる。
【００２４】
図３を参照しながら説明する。若干の実施例において、電子機器１１はもう１個の接続インターフェース１３２を更に含むことができる。明確に記述するため、以下、接続インターフェース１３２を第３の接続インターフェース１３２と称する。
【００２５】
第３の接続インターフェース１３２は、プロセッサ１１０に電気的に接続される。電子機器１１外部の画像取込みモジュール１３は無線方式、直接接続方式或いは接続ケーブルを経由して第３の接続インターフェース１３２に接続されることで、図３に示すように、画像取込みモジュール１３を第３の接続インターフェース１３２を経由してプロセッサ１１０に電気的に接続させる。
この時、画像取込みモジュール１３が取込んだ外観画像Ｐｆは、第３の接続インターフェース１３２を経由してプロセッサ１１０に伝送できる。そこで、画像取込みモジュール１３は、電荷結合素子（Ｃｈａｒｇｅ  Ｃｏｕｐｌｅｄ  Ｄｅｖｉｃｅ、ＣＣＤ）、相補型金属酸化膜半導体（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）素子若しくはその他これと同じ効果を持つ素子とすることができる。好しくは画像取込みモジュール１３はカラー映像が撮影できるビデオカメラとすることができる。
【００２６】
若干の実施例において、ユーザーインターフェース１２０はタッチスクリーン、タッチスクリーンと少なくとも１個の実物ボタンの組み合せ、スクリーンと入力装置（例：キーボード、マウス、手書きパッド或いはその組み合せ）の組み合せ又はこれと同じ効果を持つ装置等とするこができる。
【００２７】
図４を参照しながら説明する。自動着色機１２において、制御ユニット２１０が第１の接続インターフェース２３０と供給モジュール２４０と移動モジュール２５０に電気的に接続される。着色ツール２６０、２６２が移動モジュール２５０に設置される。供給モジュール２４０が少なくとも１個の顔料を備える。
【００２８】
以下に人の顔メイクを例にし、自動着色機１２の構造を詳細に説明する。言い換えると、この例において、立体物１４とは利用者の顔とする。
【００２９】
図５を参照しながら説明する。自動着色機１２は、テーブル２０２と顔定位モジュール２２０を更に含むことができる。制御ユニット２１０と顔定位モジュール２２０と移動モジュール２５０がテーブル２０２に設置される。
【００３０】
顔定位モジュール２２０が移動モジュール２５０に対応するように設置される。顔の位置を確保するため、利用者の頭部を顔定位モジュール２２０の上に置く。
【００３１】
顔定位モジュール２２０には、顎受け２２１と頭部固定具２２２とを含む。顎受け２２１は、利用者の顎を載せることで、利用者の頭部（顔）を支持するために用いられる。頭部固定具２２２が顎受け２２１の上方に設けられる。そこで、頭部固定具２２２が略逆Ｕ字形を呈し、且つ上方の中央に顔の額箇所に合わせて円弧状となる額当て２２３を有する。
使用時、利用者はその額を頭部固定具２２２の額当て２２３に当接し、また顔の顎を顎受け２２１上に載せることで、利用者の顔が移動モジュール２５０の位置に対応するよう確保する。
【００３２】
移動モジュール２５０は、移動ブロック２５１と昇降器２５２と水平レール２５３と伸縮テーブル２５４とを含む。水平レール２５３が昇降器２５２上を跨設し、且つ昇降器２５２の調整を通じて水平レール２５３を第１の方向（例えば、Ｙ軸方向）に沿って上下に移動させることができる。
伸縮テーブル２５４が水平レール２５３に摺動するよう設けられ、第２の方向（例えば、図内のＸ軸方向）に沿って水平レール２５３上で左右に移動できる。移動ブロック２５１が伸縮テーブル２５４上に設けられ、第３の方向（例えば、図内のＺ軸方向）に沿って伸縮テーブル２５４上で前後に移動できる。制御ユニット２１０が制御するモータにより移動ブロック２５１、昇降器２５２及び伸縮テーブル２５４を駆動することで、移動ブロック２５１が伴って三次元移動して正確に位置決められる。
【００３３】
本実施例において、供給モジュール２４０は制御ユニット２１０を通じて顔料繰出とメイクアップの操作を制御する。供給モジュール２４０が移動モジュール２５０の移動ブロック２５１に設けられる。供給モジュール２４０内に各種着色料が貯蔵される。供給モジュール２４０の顔料繰出口が各着色ツール２６０、２６２に適切に接続され、また対応する顔料を着色ツール２６０、２６２に供給する。着色ツール２６０、２６２は、異なる方式のスプレーヘッド、スプレーノズル或いは塗布具とすることができる。
【００３４】
着色ツール２６０がスプレーノズルの場合、供給モジュール２４０は供給容器及び空気圧配管を備えることができる。供給容器内に顔料が貯蔵される。空気圧配管がコンプレッサーに接続され、顔料繰出口に向かって流動する空気を提供し、且つ供給容器内の顔料を吸い込むと共に顔料繰出口から噴出できる。
【００３５】
着色ツール２６２が塗布具の場合、供給モジュール２４０は回転円盤を備えるよう設計でき、且つこの回転円盤内に各式の顔料繰出口を設けて顔料を外に向かって出力する。顔料繰出口が回転円盤の周縁に設けられ、回転円盤の回転により異なる顔料に変換できる。
【００３６】
これら多元化された供給モジュール２４０の組み合せは、異なる着色ツール２６０、２６２或いは顔料で自動塗布できる。
【００３７】
テーブル２０２上に制御モジュール２０４を設けることができる。制御モジュール２０４は、制御ユニット２１０と第１の接続インターフェース２３０とを備える。
【００３８】
第１の接続インターフェース２３０は、無線方式或いは有線方式で電子機器１１から着色プロセスを受信し、また受信した着色プロセスを制御ユニット２１０に送信し、順番通り着色プロセス内の各着色コマンドを実行する。言い換えると、着色プロセスは、各自の生成順序により並べ替える複数の着色コマンドを備える。各着色コマンドは二次元座標で表示する軌跡情報又は三次元座標で表示する軌跡情報を含むことができる。
【００３９】
若干の実施例において、各着色コマンドは三次元座標で表示する軌跡情報を含む時、制御ユニット２１０が現在実行している着色コマンド内の軌跡情報に基いて移動モジュール２５０の移動を制御することで、移動ブロック２５１を所定位置まで移動させる。
【００４０】
若干の実施例において、各着色コマンドには二次元座標で表示する軌跡情報を含む時、自動着色機１２は距離測定器２７０を更に含むことができる。
距離測定器２７０が移動モジュール２５０の移動ブロック２５１に架設される。着色ツール２６０、２６２が安全に利用者の顔に接触或いは接触する利用者の顔と安全な距離を維持するよう確保するため、距離測定器２７０は第３方向上の位置を測定でき、位置信号と校正信号を提供することで二次元平面画像を三次元立体画像の操作に変換させる。
【００４１】
制御ユニット２１０は、現在実行している着色コマンド内の軌跡情報に基いて移動モジュール２５０の移動を制御することで、移動ブロック２５１が着色ツールを牽引させ、更に選択された顔料を利用者の顔に施す。
また、選択された着色ツールの種類及び距離測定器２７０で得られた位置信号により、制御ユニット２１０が移動モジュール２５０の顔に対する移動距離を制御し、移動ブロック２５１で着色ツールを安全に利用者の顔に接触する位置或いは利用者の顔と安全な距離を保つ位置へ移動する。
【００４２】
若干の実施例において、距離測定器２７０は、レーザ距離計、マイクロ波距離計、赤外線距離計、画像取込みモジュール或いはその他これと同じ効果を持つ距離測定器とすることができる。
【００４３】
若干の実施例内において、立体物１４は利用者の目とすることもできる。
【００４４】
図６を参照しながら説明する。目に専用する自動着色機１２にとって、前記顔定位モジュール２２０は、アイマスクで利用者の目を自動着色機１２の移動モジュール２５０に対応するよう実現できる。
【００４５】
若干の実施例内において、第２の接続インターフェース１３０は無線送受信モジュール、ユニバーサル・シリアル・バス（Ｕｎｉｖｅｒｓａｌ  Ｓｅｒｉａｌ  Ｂｕｓ、ＵＳＢ）或いはエクスターナルシリアルアドバンスドテクノロジー  アタッチメント（Ｅｘｔｅｒｎａｌ  Ｓｅｒｉａｌ  Ａｄｖａｎｃｅｄ  Ｔｅｃｈｎｏｌｏｇｙ  Ａｔｔａｃｈｍｅｎｔ、ｅ−ＳＡＴＡ）コネクタ等とすることができる。
第３の接続インターフェース１３２は無線送受信モジュール、ユニバーサル・シリアル・バス（Ｕｎｉｖｅｒｓａｌ  Ｓｅｒｉａｌ  Ｂｕｓ、ＵＳＢ）或いはエクスターナルシリアルアドバンスドテクノロジー  アタッチメント（Ｅｘｔｅｒｎａｌ  Ｓｅｒｉａｌ  Ａｄｖａｎｃｅｄ  Ｔｅｃｈｎｏｌｏｇｙ  Ａｔｔａｃｈｍｅｎｔ、ｅ−ＳＡＴＡ）コネクタ等とすることができる。
【００４６】
無線送受信モジュールは、例えばブルートゥース（Ｂｌｕｅｔｏｏｔｈ（登録商標））技術、ワイファイ（Ｗｉｒｅｌｅｓｓ  Ｆｉｄｅｌｉｔｙ、ＷｉＦｉ（登録商標））技術、近距離無線通信（Ｎｅａｒ  Ｆｉｅｌｄ  Ｃｏｍｍｕｎｉｃａｔｉｏｎ、ＮＦＣ）技術等の現有の各種無線通信技術を使用できる。
【００４７】
若干の実施例において、顔料は粉末状、泡状、ジェル状、リキッド状、クリーム等の三相系材料のいずれかの一種或いはその組み合せとし、例えば光輝性材、噴霧状或いはその他の特殊方式等とすることができる。下地材料、しみ隠し材料、眉すみ材料、チークカラー材料、リップスティック材料、仕上げ用化粧料、基礎化粧料、各色インク、各色の染色材料等といった顔料は自由に調製できる。
【００４８】
以下、自動着色システム１０の操作を詳細に説明する。図１乃至図８を参照しながら説明し、ストレージユニット１４０内に着色アプリケーションプログラムを保存する。
【００４９】
プロセッサ１１０は、着色アプリケーションプログラムの実行を通じてユーザーインターフェース１２０上で着色編集ウインドウ１２１（ステップＳ２１）を表示する。着色編集ウインドウ１２１は画像プレビュー欄１２２と設計機能欄１２４とを含む。設計機能欄１２４は、編集オプション１２５と戻るオプション１２６とクリアオプション１２７と完了オプション１２８とファイルオプション１２９等とを備える。編集オプション１２５内には、図９に示すようにツールオプション１２５１とカラーパレットオプション１２５２とを備える。
【００５０】
若干の実施例内において、図９及び図１０Ａのように、ツールオプション１２５１及びカラーパレットオプション１２５２は、同一レイヤーのメニューに位置できる。若干の実施例内において、図１０Ｂに示すようにツールオプション１２５１及びカラーパレットオプション１２５２は、異なるレイヤーのメニューに位置できる。例を挙げ、図１０Ｂを参照しながら説明する。ツールオプション１２５１は複数のツールアイコンＡ１、Ａ２を備え、且つ各ツールアイコンＡ１、Ａ２がカラーパレットオプション１２５２に接続される。ツールアイコンＡ１が選択された時、着色アプリケーションプログラムは、このツールアイコンＡ１のリンクするカラーパレットオプション１２５２を利用者の選択のため更に提供する。利用者の選択のため、カラーパレットオプション１２５２内に複数のカラーアイコンＣ１、Ｃ２を備える。
【００５１】
プロセッサ１１０は、画像取込みモジュール１３からの立体物１４の外観画像Ｐｆを受信でき、ストレージユニット１４０から保存している外観画像Ｐｆを読み出す、若しくは外部の電子機器或いはストレージデバイスから外観画像Ｐｆを受信する（ステップＳ２３）。
若干の実施例において、外観画像Ｐｆは、平面シミュレーション画像とし、つまり画像内に立体物１４の２Ｄアイコンを備えることができる。若干の実施例内において、外観画像Ｐｆも３Ｄシミュレーション画像とすることができ、つまり画像内に立体物１４の３Ｄモデルを備える。
【００５２】
そして、プロセッサ１１０が受信した外観画像Ｐｆに対し特徴分析を行うことで輪郭画像Ｐｐ（ステップＳ２５）を生成する。若干の実施例において、プロセッサ１１０も直接ストレージユニット１４０から保存している輪郭画像Ｐｐを読み出す、或いは外部の電子機器又はストレージデバイスから輪郭画像Ｐｐを受信できる。例を挙げると、利用者はファイルオプション１２９で画像プレビュー欄１２２内に表示したい輪郭画像Ｐｐを選択できる。
【００５３】
プロセッサ１１０は、更に輪郭画像Ｐｐをユーザーインターフェース１２０上の画像プレビュー欄１２２内に表示する（ステップＳ２７）。
【００５４】
この時、利用者は、編集オプション１２５で輪郭画像Ｐｐの着色設計を行うことができる。
【００５５】
着色設計の過程において、利用者はツールオプション１２５１で使用しようとする着色ツール（つまり、ツールオプション内のツールアイコンＡ１／Ａ２をクリック）を選択でき、且つカラーパレットオプション１２５２で使用しようとするカラー（つまり、カラーパレットオプション内のカラーアイコンＣ１／Ｃ２をクリック）を選択し、更に選択した着色ツールとカラーで画像プレビュー欄１２２内の輪郭画像Ｐｐに対して着色操作（つまり、マウスポインタを輪郭画像Ｐｐに合わせてシミュレーション着色を行う）を行うことで選択したカラーを輪郭画像Ｐｐに施す。
【００５６】
各利用者が着色の操作を行う時、ユーザーインターフェース１２０が利用者の着色操作に応答して編集コマンドを出力（ステップＳ２９）することで、着色アプリケーションプログラム（つまり、プロセッサ１１０）がこの編集コマンドに応答して着色コマンドを生成させる。
この着色コマンドは利用者が選択した着色ツールのツール情報、利用者が選択したカラーの色彩情報及びこの着色操作の移動軌跡の軌跡情報を示す。
【００５７】
若干の実施例において、軌跡情報は連続して複数の位置決めポイントからなる。そこで、着色操作の開始は１番目位置決めポイントに対応し、着色操作の終了が最終の位置決めポイントに対応し、着色操作の移動過程は順番通り２番目位置決めポイントから後ろから逆算して２番目位置決めポイントまでに対応する。各位置決めポイントが座標データとすることができる。
【００５８】
利用者が複数の着色操作を行った後、利用者は完了オプション１２８をクリックすることでユーザーインターフェース１２０が確認コマンドを出力させる。この時、着色アプリケーションプログラム（つまり、プロセッサ１１０）が確認コマンドに応答して複数の着色操作に対応する複数の着色コマンドを生成順序により並び替え、これにより着色プロセスを生成（ステップＳ３１）し、且つ生成した着色プロセスを外部に出力し、若しくはストレージユニット１４０に保存する（ステップＳ３３）。
言い換えると、着色プロセスは複数の着色コマンドを有し、且つこれら着色コマンドは各自の生成順序（つまり、利用者が複数の着色操作を行う順序）によって並び替える。
【００５９】
また、着色アプリケーションプログラム（つまり、プロセッサ１１０）は更に確認コマンドに応答して画像プレビュー欄１２２内の輪郭画像Ｐｐで着色後図柄Ｐｃを得る。若干の実施例において、プロセッサ１１０は着色後図柄Ｐｃ及びその対応する着色プロセスをストレージユニット１４０内に保存することで、図柄データベースを構成する。言い換えると、着色アプリケーションプログラムは図柄データベースを組み合わせることができる。図柄データベースはストレージユニット１４０内に保存される。
図柄データベースは予め編集して保存している１個或いは複数の着色後図柄Ｐｃを有し、且つ各着色後図柄Ｐｃは対応する着色プロセスＳｐを備える。よって、利用者が次回使用する時も直接ファイルオプション１２９で図柄データベース内から使用しようとする着色後図柄Ｐｃを選択して画像プレビュー欄１２２内に表示して確認できる。
【００６０】
ここでは、利用者自身で編集設計した着色後図柄Ｐｃを例としたが、これに限られない。つまり、図１１を参照しながら説明すると、利用者が着色しようとする立体物１４（例：顔、目或いは物品等）の外観画像Ｐｆを取り込んだ後、第２の接続インターフェース１３０を通じて無線方式、有線方式又はその他のリモート伝送方式で外観画像Ｐｆ或いは輪郭画像Ｐｐを別の電子機器１１’に伝送できる。そこで、外観画像Ｐｆをマルチメディアメッセージ（ＭＭＳ）（ショートメッセージ）として送信するため、第２の接続インターフェース１３０はさらに電気通信モジュールとすることもできる。
【００６１】
設計者は、更に電子機器１１’において輪郭画像Ｐｐの着色設計を行い、つまり前記ステップＳ２５からステップＳ３１或いは前記ステップＳ２７からステップＳ３１までとする。そこで、設計を終えてから着色後図柄Ｐｃ及び対応する着色プロセスＳｐを第２の接続インターフェース１３０を通じて無線方式又は有線方式で利用者の電子機器１１に返送する（ステップＳ３３）。
【００６２】
図１２を参照しながら説明する。若干の実施例において、編集オプション１２５は、テンプレートオプション１２５３を更に備えることができる。テンプレートオプション１２５３は、複数のテンプレート図柄Ｅ１、Ｅ２を有する。そこで、各テンプレート図柄Ｅ１、Ｅ２は、つまり図柄データベース内で予め編集して保存している着色後図柄Ｐｃとする。つまり、各テンプレート図柄Ｅ１、Ｅ２は各々対応する着色プロセスＳｐを備え、またこの着色プロセスＳｐも予め対応して図柄データベース内に保存している。
【００６３】
言い換えると、毎回編集済み着色後図柄Ｐｃ及びその対応する着色プロセスもテンプレートとして保存することを選択し、テンプレートオプション１２５３内の１個の項目とすることができる。編集済み着色後図柄Ｐｃ及びその対応する着色プロセスをテンプレートとして保存する時、着色後図柄Ｐｃはテンプレート図柄とすることができる。若干の実施例において、各テンプレート図柄Ｅ１、Ｅ２は着色後図柄Ｐｃであるが、立体物１４の輪郭画像Ｐｐで表現（表示）することに限定しない。言い換えると、各テンプレート図柄Ｅ１、Ｅ２は着色設計の結果を呈する。
【００６４】
利用者がテンプレートオプション１２５３内のテンプレート図柄Ｅ１をクリックした時、このテンプレート図柄Ｅ１が表現する着色設計の結果を立体物１４の輪郭画像Ｐｐ（つまり、画像プレビュー欄１２２内に表示される画像）に適用することで、最終的な着色後図柄Ｐｃが得られる。
この時、ユーザーインターフェース１２０は、利用者の選択操作に応答してテンプレート図柄Ｅ１に対応する編集コマンドを出力し、従って着色アプリケーションプログラムが編集コマンドに応答させて図柄データベース内からテンプレート図柄Ｅ１が対応する着色プロセスＳｐを読み出し（ステップＳ３１）、且つ利用者が完了オプション１２８をクリックした時読み出した着色プロセスＳｐを出力する（ステップＳ３３）。
【００６５】
若干の実施例において、前記着色プロセスは、台本（ｓｃｒｉｐｔ）の形式で生成される。台本（ｓｃｒｉｐｔ）形式の着色プロセスを以下に例を挙げる。
＜着色インターフェース＝肌＞（つまり、着色しようとする立体物１４の種類）
＜着色顔料＝＝１号スプレー材＞（つまり、着色顔料の種類）
＜色噴射の粗さ＝Ａ＞（つまり、着色ツールの種類）
＜噴色カラー＝赤＞（つまり、着色顔料のカラー）
＜システム位置決めポイント  Ｘ、Ｙ  比例  Ｘ  ＞
＜点を描く  Ｘ．Ｙ  ＞
＜線を描く  Ｘ０．Ｙ０  Ｘ１、Ｙ１＞
＜面を描く  Ｘ０．Ｙ０  Ｘ１、Ｙ１＞
＜絵を描く  画像名＞
＜絵文字  文字名＞
【００６６】
若干の実施例において、画像プレビュー欄１２２内に表示された輪郭画像Ｐｐは、平面シミュレーション画像とすることができる。言い換えると、輪郭画像Ｐｐ内に立体物１４の２Ｄ画像を有する。
【００６７】
若干の実施例において、画像プレビュー欄１２２内に表示される輪郭画像Ｐｐは、３Ｄシミュレーション画像とすることができる。言い換えると、輪郭画像Ｐｐ内に立体物１４の３Ｄモデルを備える。３Ｄシミュレーション画像の実現は、発明の属する分野における通常の知識を有する者が熟知しているため、ここでは記述を省略する。
【００６８】
これにより、利用者が３Ｄシミュレーション画像に着色する時、各着色操作が三次元座標で表示する軌跡情報を対応して生成できる。言い換えると、軌跡情報内の各位置決めポイントは、１つの三次元座標データである。
【００６９】
図１３を参照しながら説明する。利用者が実際に顔にメイクを施す時、電子機器１１を自動着色機１２に接続できる。つまり自動着色機１２の第１の接続インターフェース２３０が電子機器１１の第２の接続インターフェース１３０に電気的に接続される（ステップＳ４１）。
【００７０】
接続した後、利用者は電子機器１１を操作して、プロセッサ１１０が着色プロセスを自動着色機１２に出力させることができる。言い換えると、自動着色機１２が第１の接続インターフェース２３０を通じて無線方式或いは有線方式（例：接続ケーブル１５又は実物コネクタによる実施等）で伝送してきた着色プロセス（ステップＳ４３）を受信できる。
【００７１】
そして、更に自動着色機１２が着色プロセスの実行に基き利用者の顔にメイクを施す。そこで、自動着色機１２の制御ユニット２１０が着色プロセス内の各着色コマンドを実行する。
【００７２】
制御ユニット２１０は、実行する着色コマンドに基づいて供給モジュール２４０を制御して着色コマンド内の色彩情報に対応する顔料を選択し（ステップＳ４５）、並びに実行する着色コマンドに基づいて移動モジュール２５０を制御して着色コマンド内のツール情報に対応する着色ツールを選択する（ステップＳ４７）。
ステップＳ４５とステップＳ４７の実行順序は、本発明に限定されることはない。つまり順番通りステップＳ４５とステップＳ４７を実行する以外に、同時にステップＳ４５とステップＳ４７を実行できる、若しくは先にステップＳ４７を実行してからステップＳ４５を実行することができる。
【００７３】
ステップＳ４５において、色彩情報で指定されたカラーは、供給モジュール２４０が備える多種類の顔料の中の一つとすることができる。次に、色彩情報で指定するカラーは、供給モジュール２４０が備える多種類の顔料中に存在しないようにすることもできる。
この場合、供給モジュール２４０は色彩情報で指定するカラーにより多種類の顔料内から２種類以上の顔料を選択して必要な顔料（つまり、色彩情報で指定したカラー）を調製できる。言い換えると、自動着色機１２は、ストレージユニットを備えることができ、且つストレージユニット内に色彩データベースを構築する。色彩データベースは多種類のカラー及びその対応する調製方法（例：必要な顔料の調製及びその割合）を備える。
【００７４】
そして、制御ユニット２１０は実行する着色コマンド内の軌跡情報に基づいて移動モジュール２５０を移動させ、また選択された着色ツールで選択された顔料を利用者の顔（立体物１４）に施す（ステップＳ４９）。つまり、実行する着色コマンド内の軌跡情報に基づいて移動モジュール２５０を制御して着色ツールを移動することで、選択された顔料を立体物１４に施す（ステップＳ４９）。
【００７５】
若干の実施例において、軌跡情報が二次元座標で表示された時、制御ユニット２１０は対応する所定位置まで移動するため、軌跡情報内の各位置決めポイントにより移動モジュール２５０の第１方向と第２方向上の移動を行う。且つ、各位置決めポイントの移動過程或いは所定位置まで移動した時、制御ユニット２１０が距離測定器２７０からの位置信号を受信して移動モジュール２５０を制御して顔に相対して移動（即第３の方向上的移動）することで、着色ツールが安全に顔料を利用者の顔に施す位置に定位させる。そこで、第１方向、第２方向と第３方向が各々移動モジュール２５０の移動座標系のＹ軸、Ｘ軸とＺ軸となる。
【００７６】
１つの着色コマンドの実行を終えた後（つまり一つの着色操作を終えた後）、全ての着色コマンドが実行し終えるまで、制御ユニット２１０が次の着色コマンドを続けて実行する（ステップＳ５１）。
【００７７】
若干の実施例において、着色アプリケーションプログラムは座標系変換ステップを備えることで、輪郭画像Ｐｐの画像座標系を移動モジュール２５０の移動座標系に対応させる。
【００７８】
若干の実施例において、座標系変換ステップは特徴分析ステップ（ステップＳ２５）内で得られる特徴或いは辺縁を対応点とし、輪郭画像Ｐｐの画像座標系を移動モジュール２５０の移動座標系に対応させる。つまり、輪郭画像Ｐｐを立体物１４の実際の移動モジュール２５０の移動座標系にある位置に写像する。
【００７９】
若干の実施例において、座標系変換ステップは既知の実物大の縮尺の物で実現できる。
【００８０】
利用者が、画像取込みモジュール１３で立体物１４の外観画像Ｐｆを取り込んだ時、同時にこの縮尺の物も写り込ませる。言い換えると、画像取込みモジュール１３で立体物１４の画像及び縮尺の物の画像の外観画像Ｐｆを取り込む。更に既知実物大と外観画像Ｐｆ中の縮尺の物の画像寸法を通じて輪郭画像Ｐｐの画像座標系と移動モジュール２５０の移動座標系の間の縮尺を計算する。そして特徴分析ステップ（ステップＳ２５）内で得られた特徴或いは辺縁を対応点とすると共に計算で得られた縮尺を利用して輪郭画像Ｐｐを立体物１４の実際の移動モジュール２５０の移動座標系にある位置に写像する。
【００８１】
若干の実施例において、座標系変換ステップは、画像取込みモジュール１３の撮像パラメータ（例：レンズの焦点距離、画像フォーマット等）及びユーザーインターフェース１２０内のスクリーンの規格で実現できる。着色アプリケーションプログラムは画像取込みモジュール１３の撮像パラメータ及びユーザーインターフェース１２０内のスクリーンの規格により輪郭画像Ｐｐの画像寸法と立体物１４の実物大に対応する縮尺を計算できる。
そして特徴分析ステップ（ステップＳ２５）内で得られた特徴或いは辺縁を対応点とすると共に計算で得られた縮尺を利用して輪郭画像Ｐｐを立体物１４の実際の移動モジュール２５０の移動座標系にある位置に写像する。
【００８２】
座標系変換ステップを終えた後、ユーザーインターフェース１２０において輪郭画像Ｐｐに対して施す着色操作は、着色アプリケーションプログラムが移動モジュール２５０の移動座標系により対応する軌跡情報を生成させる。
【００８３】
若干の実施例において、着色アプリケーションプログラムはコンピュータプログラム製品によって実現できることで、コンピュータ（つまり、前記電子機器）が着色アプリケーションプログラムをロードすると共に実行後本発明に係るいずれかの実施例の自動着色方法を完了できる。
若干の実施例において、コンピュータプログラム製品は、読み取ることができる記録媒体とすることができ、着色アプリケーションプログラムは読み取ることができる記録媒体内に保存してコンピュータのロードのために供する。若干の実施例において、着色アプリケーションプログラム自体は、コンピュータプログラム製品とすることができ、且つ有線或いは無線の方式を経由してコンピュータ内に転送する。
【００８４】
上述をまとめると、本発明に係る自動着色システム及びその方法は、分離可能式の着色設計フロー（電子機器による実行）と実際の着色フロー（自動着色機による実行）を備えることで、利用者がいつでもどこでも予め着色後図柄を設計及び交流させることができる。
また、本発明に係る自動着色システム及びその方法は、外部装置から着色プロセスを自動着色機に提供して直接実行できるため、自動着色機の構造の簡素化に役立つ。例を挙げると、自動着色機の制御ユニットには強大な処理機能が必要なく、例えばマイクロコントローラで実現、若しくは自動着色機に画像取込みモジュールを設置する必要がない。
若干の実施例において、三次元座標で表示される軌跡情報を直接提供することで、自動着色機は更に正確に実際の着色フローを実行させることができる。若干の実施例において、３Ｄシミュレーション画像の直接表示を通じて着色設計フロー内の着色操作を実際の着色フローに近づけさせる。
【００８５】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００８６】
１０      自動着色システム
１１      電子機器
１１’    電子機器
１２      自動着色機
１３      画像取込みモジュール
１４      立体物
１５      接続ケーブル
１１０    プロセッサ
１２０    ユーザーインターフェース
１２１    着色編集ウインドウ
１２２    画像プレビュー欄
１２４    設計機能欄
１２５    編集オプション
１２５１  ツールオプション
１２５２  カラーパレットオプション
１２５３  テンプレートオプション
１２６    戻るオプション
１２７    クリアオプション
１２８    完了オプション
１２９    ファイルオプション
１３０    接続インターフェース
１３２    接続インターフェース
１４０    ストレージユニット
２０２    テーブル
２０４    制御モジュール
２１０    制御ユニット
２２０    顔定位モジュール
２２１    顎受け
２２２    頭部固定具
２３０    接続インターフェース
２４０    供給モジュール
２５０    移動モジュール
２５１    移動ブロック
２５２    昇降器
２５３    水平レール
２５４    伸縮テーブル
２６０    着色ツール
２６２    着色ツール
２７０    距離測定器
Ａ１      ツールアイコン
Ａ２      ツールアイコン
Ｃ１      カラーアイコン
Ｃ２      カラーアイコン
Ｅ１      テンプレート図柄
Ｅ２      テンプレート図柄
Ｐｃ      着色後図柄
Ｐｆ      外観画像
Ｐｐ      輪郭画像
Ｓｐ      着色プロセス
【図１】
2014113445.tif 000003
【図２】
2014113445.tif 000004
【図３】
2014113445.tif 000005
【図４】
2014113445.tif 000006
【図５】
2014113445.tif 000007
【図６】
2014113445.tif 000008
【図７】
2014113445.tif 000009
【図８】
2014113445.tif 000010
【図９】
2014113445.tif 000011
【図１０Ａ】
2014113445.tif 000012
【図１０Ｂ】
2014113445.tif 000013
【図１１】
2014113445.tif 000014
【図１２】
2014113445.tif 000015
【図１３】
2014113445.tif 000016